(57)【特許請求の範囲】
【請求項１】
アンテナを上側ケースと下側ケースとからなる電子機器本体ケースに取り付ける電子機器のアンテナ取り付け構造において、
前記アンテナの送受信用エレメントが内蔵された露出部が一端に設けられ、前記電子機器本体ケースに収容される取り付け部と、
前記上側ケースに設けられ、前記下側ケースと協働して前記取り付け部を挟み込む支持部と
からなり、
前記取り付け部は、弾性を有し、略円筒状の形状を有し、軸線に沿って湾曲しており、前記支持部によって前記下側ケースの方向に押圧されて弾性変形することによって電子機器本体ケースに固定される
ことを特徴とする電子機器のアンテナ取り付け構造。
【発明の詳細な説明】
【０００１】
【発明の属する技術分野】
本発明は、電子機器のアンテナの取り付け構造に関し、特に携帯無線電話機のアンテナの取り付け構造に関する。
【０００２】
【従来の技術】
従来、携帯電話、ＰＨＳ（登録商標）、コードレス電話などの携帯無線電話機等の電子機器のアンテナは、例えば図６に示すように、ねじ止め等で取り付けられている。図６において、２分割型の電話機本体ケースを有する携帯無線電話機の片方のケース４１には、ねじ穴４２と開口部４３が形成され、アンテナ３１の片方の端部には、固定用の孔３２ａが形成された固定部３２が設けられている。
【０００３】
図６において、アンテナ３１は、次のように固定される。まず、固定部３２が設けられている方の端部を、開口部４３に挿通させ、孔３２ａおよびねじ穴４２のそれぞれの開口を衝合させる。次に、ねじ４４を、孔３２ａに挿通させ、かつねじ穴４２に螺嵌することによりアンテナ３１をケース４１に固定する。
【０００４】
この他にも、アンテナ自体にねじを形成し、このねじにより電子機器のケースにアンテナを螺着させることにより、アンテナを電子機器に固定する方法も知られている。
【０００５】
【発明が解決しようとする課題】
しかしながら、上述したようにアンテナをねじなどで電子機器のケースに固定する場合には、ねじという余分な部品が必要なためにコストがかかり、かつねじの取り付けに時間がかかるため作業効率の低下が問題となっていた。また、アンテナ自体にねじを形成する場合にも、アンテナの取り付けに時間がかかり、かつ利用者がアンテナを回すと、アンテナがケースからはずれてしまうという問題が発生していた。
【０００６】
本発明は、上述したような課題を解決するためになされたものであり、その目的とするところは、コスト削減と作業効率の向上を図り、かつ十分な取り付け強度を確保することができる電子機器のアンテナ取り付け構造を提供することにある。
【０００７】
【課題を解決するための手段】
このような課題を解決するために本発明に係る電子機器のアンテナ取り付け構造は、アンテナを有する電子機器において、電子機器本体に取り付けられるアンテナの取り付け部は、弾性体からなることを特徴とする。この電子機器のアンテナ取り付け構造によれば、アンテナは、取り付け部の弾性力を利用して電子機器に取り付けられる。
【０００８】
他の形態の電子機器のアンテナ取り付け構造において、アンテナ側に設けられ、電子機器本体に収容される取り付け部と、電子機器本体側に設けられ、取り付け部を支持する支持部とからなり、取り付け部は、弾性を有し、支持部によって弾性変形することによって電子機器本体に固定されることを特徴とする。
【０００９】
上記電子機器のアンテナ取り付け構造において、取り付け部は、略円筒状の形状を有し、軸線に沿って湾曲しているようにしてもよい。この電子機器のアンテナ取り付け構造によれば、取り付け部が湾曲していることにより、取り付け部の弾性力を電子機器に取り付け部を固定する際に効果的に用いることができる。
【００１０】
上記電子機器のアンテナ取り付け構造において、支持部は、前記取り付け部を挟み込み、この取り付け部を弾性変形させるようにしてもよい。この電子機器のアンテナ取り付け構造によれば、取り付け部は、固定部が取り付け部を挟み込む力と、この力に反発する取り付け部による弾性力とにより、取り付け部と固定部の間に摩擦力が生じ、電子機器に強固に取り付けられる。
【００１１】
上記電子機器のアンテナ取り付け構造において、取り付け部は、凹部を有し、前記支持部は、前記凹部を嵌合し、かつ前記取り付け部を弾性変形させるようにしてもよい。この電子機器のアンテナ取り付け構造によれば、支持部が凹部を挟み込み、取り付け部を弾性変形させることにより、取り付け部は、電子機器に強固に取り付けられる。
【００１２】
他の形態の電子機器のアンテナ取り付け構造において、アンテナ側に設けられ、前記電子機器本体に収容される取り付け部と、前記電子機器本体側に設けられ、前記取り付け部を支持する支持部とからなり、前記取り付け部は、凹部を有し、この凹部が前記支持部を嵌合することにより電子機器本体に固定してもよい。この電子機器のアンテナ取り付け構造によれば、支持部が凹部を挟み込むことにより、取り付け部は、電子機器に強固に取り付けられる。
【００１３】
【発明の実施の形態】
［第１の実施の形態］
以下、図面を参照して、本発明の第１の実施の形態に係る電子機器のアンテナ取り付け構造について説明する。図１は、第１の実施の形態の携帯無線電話機のアンテナの取り付け構造を示す斜視図である。図１において、携帯無線電話機は、上側ケース１１と下側ケース２１とによる上下２分割型の電話機本体ケースを有し、この電話機本体ケースにアンテナ１が取り付けられる。
【００１４】
全体として略円筒状のアンテナ１は、図示しない送受信用エレメントが内蔵された露出部２と、湾曲した円筒状の取り付け部３と、この取り付け部３の表面に配設され、送受信用エレメントと電気的に接続された金具４と、取り付け部３の片方の端部に設けられた開口部５とから構成される。
【００１５】
取り付け部３は、合成樹脂や金属等の弾性を有する材料から形成され、湾曲した略円筒状の形状を有する。このような形状を有することにより、取り付け部３は、湾曲形状を矯正するような外力が働くと、この外力により弾性変形をする。
【００１６】
上側ケース１１には、下側ケース２１と協働して取り付け部３を挟み込むリブ１２が設けられている。また、下側ケース２１には、取り付け部３および開口部５を下側ケース２１内部に導入する導入部２２と、この導入部２２から下側ケース２１内部に導入された開口部５を掛合する先端が導入部２２の方向に折曲したフック２３が設けられている。上側ケース１１と下側ケース２１とは、ねじや爪などにより結合される。この際、支持部を構成するリブ１２、導入部２２およびフック２３は、協働して、アンテナ１を電話機本体ケースに固定する。
【００１７】
なお、電話機本体ケースには、携帯用無線通信装置等の通信を行うための内部回路・各種電子部品が内蔵され、これらの内部回路・各種電子部品は、金具４を介して露出部２内蔵された送受信用エレメントと電気的に接続される。導入部２２の周縁には内部回路・各種電子部品と電気的に接続するコネクタが設けられており、このコネクタに金具４が接続されることにより、内部回路・各種電子部品と送受信用エレメントとは、電気的に接続される。
【００１８】
次に、図２を参照して、アンテナ１を電話機本体ケースに取り付ける構造について説明する。図２（ａ）〜（ｃ）は、アンテナ１を電話機本体ケースに取り付ける構造を段階的に示す側面図である。
図２（ａ）に示すように、アンテナ１を開口部５の方から導入部２２から下側ケース２１内部に挿通させ、取り付け部３の湾曲形状を下側ケース２１と対向する方向に突出させた状態で、開口部５をフック２３に掛合させる。
【００１９】
図２（ｂ）に示すように、上側ケース１１と下側ケース２１を重ね合わせていくと、上側ケース１１に設けられたリブ１２が、取り付け部３を下側ケース２１の方向に押圧し、取り付け部３は、湾曲形状が強制的に弾性変形し、直線状になる。
【００２０】
図２（ｃ）に示すように、上側ケース１１と下側ケース２１を結合させると、取り付け部３は、リブ１２、導入部２２の周縁およびフック２３の基部２３ａにより湾曲形状が強制的に直線状にされた状態で挟み込まれる。この際、取り付け部３は、強制的に直線状にされた湾曲形状がもとの形状に戻るように弾性力をリブ１２、導入部２２の周縁およびフック２３の基部２３ａに対して働かせる。このように、アンテナ１は、リブ１２、導入部２２の周縁およびフック２３の基部２３ａにより取り付け部３を挟み込む力と、この力に反発する取り付け部３の弾性力とが相互に作用することにより、リブ１２、導入部２２の周縁およびフック２３の基部２３ａと取り付け部３との間に摩擦力が生じることによって本体ケースに強固に取り付けられる。
【００２１】
上述したように、アンテナ１は、上側ケース１１と下側ケース２１により弾性変形し、湾曲形状が直線状になるように挟み込まれることによって本体ケースに固定されるため、ねじ等のアンテナを固定するための構成要素が不要となり、コストの削減を実現し、かつ作業効率の向上を図ることができる。
【００２２】
なお、第１の実施の形態において、取り付け部３は、湾曲した略円筒形状を有するように説明したが、取り付け部３の形状はこれに限定されず、例えば、屈折した略円筒状、湾曲もしくは屈折した直方体、直線状の円筒形または直方体など、本体ケースに固定する際に弾性を働かせることができる形状であれば必要に応じて自由に変形・変更することができる。
【００２３】
また、第１の本実施の形態において、フック２３は、開口部５が掛合できる形状であれば図１および図２で示したような形状に限定されず、必要に応じて自由に変形・変更することができる。同様に、開口部５の形状も、フック２３に掛合することができる形状であれば、図１に示すような形状に限定されず、適宜自由に変形・変更することができる。
【００２４】
また、第１の実施の形態において、リブ１２に電話機本体ケースに内蔵された内部回路・各種電子部品と電気的に接続される構造を設け、金具４を上側ケース１１と下側ケース２１を接合した際にリブ１２が取り付け部３と接触する位置に設けるようにしてもよい。このような構成にすることにより、金具４は、本体ケース内部の通信回路と確実に電気的に接続される。
【００２５】
また、第１の実施の形態において、図３に示すように、外部に露出し利用者と直接に接触する構造を有する上側ケース６１にリブ１２を設けた構造にしてもよい。図３は、図１における上側ケース１１の変形例である。このような構造にしても、図１で示した上側ケース１１の場合と同様、アンテナ１は、上側ケース６１と下側ケース２１により弾性変形し、湾曲形状が直線上になるように挟み込まれることによって本体ケースに強固に取り付けられる。
【００２６】
［参考例］
次に、電子機器のアンテナ取り付け構造の参考例について説明する。図４は、携帯無線電話機のアンテナ取り付け構造の参考例を示す斜視図である。図４において、携帯無線電話機は、上側ケース６１と下側ケース７１とによる上下２分割型の電話機本体ケースを有し、この電話機本体ケースにアンテナ５１が取り付けられる。
【００２７】
全体として略円筒状のアンテナ５１は、図示しない送受信用エレメントが内蔵された露出部５２と、円筒状の取り付け部５３と、この取り付け部５３の表面に配設され、送受信用エレメントと電気的に接続された金具５４と、取り付け部５３の一端に設けられた開口部５５と、取り付け部５３の金具５４と開口部５５の間に形成された凹部５６とから構成される。
【００２８】
上側ケース６１には、凹部５６に嵌合するリブ６２が設けられている。また、下側ケース７１には、取り付け部５３および開口部５５を下側ケース７１内部に導入する導入部７２と、この導入部７２から下側ケース７１内部に導入された開口部５５を掛合するフック７３が設けられている。上側ケース６１と下側ケース７１とは、ねじや爪などにより結合される。この際、支持部を構成するリブ６２およびフック７３は、協働して、アンテナ１を電話機本体ケースに固定する。
【００２９】
なお、電話機本体ケースには、携帯用無線通信装置等の通信を行うための内部回路・各種電子部品が内蔵され、これらの内部回路・各種電子部品は、金具５４を介して露出部５２内蔵された送受信用エレメントと電気的に接続される。導入部７２の周縁には内部回路・各種電子部品と電気的に接続するコネクタが設けられており、このコネクタに金具５４が接続されることにより、内部回路・各種電子部品と送受信用エレメントとは、電気的に接続される。
【００３０】
次に、図５を参照して、アンテナ５１を電話機本体ケースに取り付ける構造について説明する。図５（ａ）は、アンテナ５１とフック６３の形状を示す斜視図、図５（ｂ）〜（ｄ）は、アンテナ５１を電話機本体ケースに取り付ける構造を段階的に示す側面図である。
図５（ａ）に示すように、フック７３は、略立方体状の形状を有し、取り付け部５３の開口部５５の方に対向する面と上側ケース６１に対向する面との間に斜面が形成されている。
【００３１】
まず、アンテナ５１を開口部５５の方から導入部７２を挿通させて下側ケース７１内部に侵入させていくと、図５（ａ）、（ｂ）に示すように、開口部５５は、フック７３と対向した状態になる。さらにアンテナ５１を下側ケース７１内部に侵入させると、アンテナ５１の開口部５５が形成されている端部は、フック７３と接触する。このとき、上述したように、フック７３に斜面が形成されているので、アンテナ５１の開口部５５が形成されている端部は、図５（ｃ）に示すように、斜面に沿ってフック７３の上側ケース６１と対向する面の方向に滑り上がる。最終的に開口部５５は、図５（ｄ）に示すように、フック７３に嵌合して、フック７３からはずれ難い状態となる。
【００３２】
この後、上側ケース６１と下側ケース７１を重ね合わせていくと、上側ケース６１に設けられたリブ６２は、取り付け部５３の凹部５６に挿入されて、この凹部５６と嵌合する。このとき、凹部５６の開口部には、図５によく示されるように、傾斜が設けられているので、リブ６２は、円滑に凹部５６に挿入される。
このように、凹部５６とリブ６２が嵌合することによりアンテナ５１が自身の長手方向への移動が制限されるため、開口部５５は、フック７３から容易にははずれ難い状態となる。上側ケース６１と下側ケース７１は、それぞれのケースに設けられた爪やねじ等により十分な強度で結合される。したがって、リブ６２と凹部５６も十分な強度で嵌合するので、アンテナ５１は、携帯無線電話機に強固に取り付けられる。
【００３３】
上述したように、アンテナ５１は、上側ケース６１と下側ケース７１が結合されるとともに、凹部５６がリブ６２と嵌合することにより本体ケースに固定されるため、ねじ等のアンテナを固定するための構成要素が不要となり、コストの削減を実現し、かつ作業効率の向上を図ることができる。
【００３４】
なお、参考例において、取り付け部５３が弾性を有する材料から構成され、湾曲した形状を有するようにしてもよい。このような構成にすると、取り付け部５３は、上側ケース６１と下側ケース７１が結合する際に、凹部５６がリブ６２により下側ケース７１の方向に圧力を受けるので、リブ６２、導入部７２の周縁およびフック７３の基部７３ａに弾性力を働かせる。このように、アンテナ５１は、リブ６２、導入部７２の周縁およびフック７３の基部７３ａにより取り付け部５３および凹部５６を挟み込む力と、この力に反発する取り付け部５３の弾性力とが相互に作用することにより、リブ６２、導入部７２の周縁およびフック７３の基部７３ａと取り付け部３および凹部５６との間に摩擦力が生じることによって本体ケースに強固に取り付けられる。
【００３５】
また、参考例において、取り付け部５３は、略円筒状の形状を有するようにしたが、取り付け部５３の形状はこれに限定されず、凹部５６が設けられているならば適宜自由に変形、変更することができる。
【００３６】
また、参考例において、フック７３は、開口部５５が掛合できる形状であれば図４および図５で示したような形状に限定されず、必要に応じて自由に変形・変更することができる。同様に、開口部５５の形状も、フック７３に掛合することができる形状であれば、図４および図５に示すような形状に限定されず、適宜自由に変形・変更することができる。
【００３７】
また、参考例において、凹部５６は、リブ６２と嵌合できる場所であるなら、取り付け部５３の金具５４と開口部５５との間に限定されず、適宜自由に変更することができる。
【００３８】
また、参考例において、上側ケース６１は、図１で示した本体ケース内部に配設される中敷きの構造を有する上側ケース１１にリブ６２を設けた構造にしてもよい。このような構造にしても、アンテナ１は、リブ６２と凹部５６が嵌合することにより、本体ケースに強固に取り付けられる。
【００３９】
また、第１の実施の形態および参考例において、アンテナを携帯無線電話機に取り付ける構造について説明したが、アンテナを取り付ける電子機器は携帯無線電話機に限定されず、種々の電子機器に適用することができる。
【００４０】
【発明の効果】
以上説明したことからも明らかなように本発明によれば、弾性体からなる取り付け部を固定部が挟み込み、アンテナを電子機器に取り付けることにより、コスト削減および作業効率の向上を図り、かつ十分な取り付け強度を確保することができる。
また、アンテナの取り付け部を湾曲させることにより、取り付け部の弾性力が効果的に支持部に対して働き、アンテナが電子機器に強固に取り付けられる。
【００４１】
また、参考例によれば、取り付け部に形成された凹部が固定部と嵌合させて、アンテナを電子機器に取り付けることにより、コスト削減および作業効率の向上を図り、かつ十分な取り付け強度を確保することができる。
【図面の簡単な説明】
【図１】  第１の実施の形態において携帯無線電話機のアンテナの取り付け構造を示す斜視図である。
【図２】  （ａ）〜（ｃ）アンテナ１を電話機本体ケースに取り付ける構造を段階的に示す側面図である。
【図３】  第１の実施の形態の変形例の斜視図である。
【図４】  参考例において携帯無線電話機のアンテナの取り付け構造を示す斜視図である。
【図５】  （ａ）アンテナ５１とフック６３の形状を示す斜視図、（ｂ）〜（ｄ）アンテナ５１を電話機本体ケースに取り付ける構造を段階的に示す側面図である。
【図６】  従来の携帯無線電話機のアンテナの取り付け構造を示す斜視図である。
【符号の説明】
１…アンテナ、２…露出部、３…取り付け部、４…金具、５…開口部、１１…上側ケース、１２…リブ、２１…下側ケース、２２…導入部、２３…フック、２３ａ…基部、５１…アンテナ、５２…露出部、５３…取り付け部、５４…金具、５５…開口部、５６…凹部、６１…上側ケース、６２…リブ、７１…下側ケース、７２…導入部、７３…フック、７３ａ…基部。
【図１】
0003671933.tif 000002
【図２】
0003671933.tif 000003
【図３】
0003671933.tif 000004
【図４】
0003671933.tif 000005
【図５】
0003671933.tif 000006
【図６】
0003671933.tif 000007